(57)【要約】【課題】高線密度化した光ディスクに記録されたデータの安定な再生を可能とする光ディスク装置を提供する。【解決手段】本開示の光ディスク装置は、光ディスク上のトラックに所定のブロック単位で記録データを記録再生する光ディスク装置であって、記録データを所定の誤り訂正符号で符号化する誤り訂正符号化回路と、誤り訂正符号化回路で符号化された記録データを所定の変調符号で変調した変調信号を出力する変調回路と、変調信号の周波数特性を変換した記録信号を出力する周波数軸符号変換回路と、記録信号を光ディスクに記録する記録手段とを備え、周波数軸符号変換回路は、変調信号の周波数特性を高い帯域へとシフトするフィルタ処理と、フィルタ処理後の変調信号を離散フーリエ変換して周波数軸上で高い側と低い側を逆転させる周波数変換処理と、周波数変換処理後に逆離散フーリエ変換して記録信号とする出力処理とを含むことを特徴とする。【選択図】図１
2019153362.tif 000002
【特許請求の範囲】
【請求項１】
光ディスク上のトラックに所定のブロック単位で記録データを記録再生する光ディスク装置であって、
前記記録データを所定の誤り訂正符号で符号化する誤り訂正符号化回路と、
前記誤り訂正符号化回路で符号化された前記記録データを所定の変調符号で変調した変調信号を出力する変調回路と、
前記変調信号の周波数特性を変換した記録信号を出力する周波数軸符号変換回路と、
前記記録信号を光ディスクに記録する記録手段とを備え、
前記周波数軸符号変換回路は、変調信号の周波数特性を高い帯域へとシフトするフィルタ処理と、フィルタ処理後の変調信号を離散フーリエ変換して周波数軸上で高い側と低い側を逆転させる周波数変換処理と、周波数変換処理後に逆離散フーリエ変換して記録信号とする出力処理とを含むことを特徴とする光ディスク装置。
【請求項２】
前記周波数軸符号変換回路のフィルタ処理は、微分フィルタであることを特徴とする請求項１記載の光ディスク装置。
【請求項３】
光ディスク上のトラックに光ビームを照射して再生信号を出力する光検出手段と、
前記再生信号に対して前記周波数軸符号変換回路の逆の変換を行った変換後再生信号を出力する周波数軸符号逆変換回路と、
前記変換後再生信号から前記変調回路が出力する変調信号を復号する再生信号復号回路と、
前記復号された変調信号を前記所定の変調符号に従って復調する復調回路と、
前記復調されたデータに含まれる誤りを訂正する誤り訂正復号化回路と、
をさらに備えたことを特徴とする請求項１記載の光ディスク装置。
【請求項４】
前記周波数軸符号逆変換回路は、前記再生信号を離散フーリエ変換して周波数軸上で低い側と高い側を逆転させる周波数逆変換処理と、周波数逆変換処理後に逆離散フーリエ変換して変換後再生信号とする逆変換出力処理とを含むことを特徴とする請求項３記載の光ディスク装置。
【発明の詳細な説明】
【技術分野】
【０００１】
本開示は、光ディスクにデータの記録再生を行う光ディスク装置、及び光学的にデータが記録される光ディスクに関する。
【背景技術】
【０００２】
現在、映像またはデータ等を保存する情報記録媒体として、ＤＶＤまたはＢｌｕ−ｒａｙ（登録商標）ディスク（以下、ＢＤとする）等多くの種類の光ディスクが使用されている。データの保存時のスペース効率の観点から、光ディスクのコストを上げずに、体積当たりの記録容量を向上させる技術として、トラック密度を向上させる技術と、線密度を向上させる技術とがある。
【０００３】
線密度を向上させる技術として、Ｐａｒｔｉａｌ  Ｒｅｓｐｏｎｓｅ  Ｍｏｓｔ  Ｌｉｋｅｌｉｈｏｏｄ（以下、ＰＲＭＬ）信号処理技術が広く用いられている。光ディスクのトラックには、マークとスペースで表現される２値信号が記録される。この２値信号を再生する際には、光ビームでの検出の周波数特性により、検出された再生信号は低域周波数に帯域制限される。これは、光ビームの回折限界のサイズに従って、複数のマークとスペースが同時に読み出されてしまう符号間干渉と呼ばれる。ＰＲＭＬ信号処理技術は、符号間干渉を前提とした期待波形と再生信号波形とを比較および選択することで記録されている２値信号を推定する最尤復号技術の一つである。線密度を向上させるに従い、符号間干渉の幅を拡張したＰＲＭＬ信号処理技術が用いられてきた。
【先行技術文献】
【特許文献】
【０００４】
【特許文献１】特開２００３−１４１８２３号公報
【特許文献２】特開平１０−２６１２７２号公報
【非特許文献】
【０００５】
【非特許文献１】田中伸一，小川博司著，「図解  ブルーレイディスク読本」，オーム社、２００６年１２月，ｐ．１４６−１５５
【発明の概要】
【発明が解決しようとする課題】
【０００６】
本開示は、高線密度化した光ディスクに記録されたデータの安定な再生を可能にする光ディスク装置を提供する。
【課題を解決するための手段】
【０００７】
本開示における光ディスク装置は、光ディスク上のトラックに所定のブロック単位で記録データを記録再生する光ディスク装置であって、前記記録データを所定の誤り訂正符号で符号化する誤り訂正符号化回路と、前記誤り訂正符号化回路で符号化された前記記録データを所定の変調符号で変調した変調信号を出力する変調回路と、前記変調信号の周波数特性を変換した記録信号を出力する周波数軸符号変換回路と、前記記録信号を光ディスクに記録する記録手段とを備え、前記周波数軸符号変換回路は、変調信号の周波数特性を高い帯域へとシフトするフィルタ処理と、フィルタ処理後の変調信号を離散フーリエ変換して周波数軸上で高い側と低い側を逆転させる周波数変換処理と、周波数変換処理後に逆離散フーリエ変換して記録信号とする出力処理とを含むことを特徴とする。
【０００８】
また、光ディスク上のトラックに光ビームを照射して再生信号を出力する光検出手段と、  前記再生信号に対して前記周波数軸符号変換回路の逆の変換を行った変換後再生信号を出力する周波数軸符号逆変換回路と、前記変換後再生信号から前記変調回路が出力する変調信号を復号する再生信号復号回路と、前記復号された変調信号を前記所定の変調符号に従って復調する復調回路と、前記復調されたデータに含まれる誤りを訂正する誤り訂正復号化回路とをさらに備えてもよい。
【発明の効果】
【０００９】
本開示における光ディスク装置は、高線密度化した光ディスクに記録されたデータの安定な再生を可能とする。
【図面の簡単な説明】
【００１０】
【図１】実施の形態１における光ディスク装置の構成を示すブロック図
【図２】ｄ＝１のＲＬＬ変調符号のパワースペクトル特性を示す図
【図３】ｄ＝０、ｋ＝４のＲＬＬ変調符号のパワースペクトル特性を示す図
【図４】光ビームによる検出の周波数特性を示す図
【図５】３回微分フィルタの周波数特性を示す図
【図６】ｄ＝０、ｋ＝４のＲＬＬ変調符号を３回微分フィルタに通した出力信号の周波数特性を示す図
【図７】記録信号の周波数特性を示す図
【図８】再生信号の周波数特性を示す図
【図９】周波数軸符号逆変換を行った再生信号の周波数特性を示す図
【図１０】ＰＲＭＬ信号処理のインパルス応答波形を示す図
【図１１】ＰＲＭＬ信号処理のインパルス応答の周波数特性を示す図
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。
【００１２】
なお、添付図面及び以下の説明は、当業者が本開示を十分に理解するために提供されるのであって、これらにより特許請求の範囲に記載の主題を限定することは意図されていない。
【００１３】
（実施の形態１）
［１．構成］
図１は、本実施の形態における光ディスク装置１０の構成図である。図１に示すように、光ディスク装置１０は、光ヘッド１０１、スピンドルモータ１０２、サーボコントローラ１０３、記録回路１０４、周波数軸符号変換回路１０５、ＲＬＬ（Ｒｕｎ  Ｌｅｎｇｔｈ  Ｌｉｍｉｔｅｄ）変調回路１０６、誤り訂正符号化回路１０７、周波数軸符号逆変換回路１０８、再生信号復号回路１０９、ＲＬＬ復調回路１１０、誤り訂正復号回路１１１、アドレス再生回路１１２、Ｉ／Ｆ回路１１３、バッファメモリ１１４、システムコントローラ１１５及びＲＯＭ（Ｒｅａｄ  Ｏｎｌｙ  Ｍｅｍｏｒｙ）１１６を備える。
【００１４】
光ディスク装置１０は、ユーザデータを光ディスク１００に記録するとともに、記録したユーザデータを光ディスク１００から再生する。光ディスク１００には、内周から外周にかけてらせん状にトラックが形成される。トラックは、グルーブにより形成されるグルーブトラックと、隣接するグルーブトラックの間に形成されるランドトラックとからなる。ユーザデータは、グルーブトラック及びランドトラックのいずれにも記録される。
【００１５】
スピンドルモータ１０２は、光ディスク１００を回転させる。光ヘッド１０１は、光ディスク１００に光ビームを照射することにより、光ディスク１００へのユーザデータの記録及び光ディスク１００からのユーザデータの再生を行う。
【００１６】
サーボコントローラ１０３は、光ヘッド１０１及びスピンドルモータ１０２を制御し、光ヘッド１０１から光ディスク１００に照射された光ビームを光ディスク１００上に設けられたトラックに集光して走査する制御、及び、目的のトラックにアクセスする移動制御を行う。サーボコントローラ１０３は、光ヘッド１０１が光ディスク１００を所定の線速度で走査するように、光ヘッド１０１の位置とスピンドルモータ１０２の回転数とを制御する。
【００１７】
Ｉ／Ｆ回路１１３は、光ディスク１００に記録するユーザデータをホスト１１７から受け取り、バッファメモリ１１４に格納する。また、Ｉ／Ｆ回路１１３は、光ディスク１００から再生し得られたバッファメモリ１１４に格納されているユーザデータをホスト１１７へ送る。他の内部ブロックに対してバッファメモリ１１４に格納されたユーザデータなどを送出したり、逆に、他の内部ブロックから受け取ったユーザデータなどをバッファメモリに格納することも行う。
【００１８】
誤り訂正符号化回路１０７は、Ｉ／Ｆ回路１１３から受け取ったユーザデータに、誤り訂正するためのパリティコードを付加して符号化データを生成する。
【００１９】
ＲＬＬ変調回路１０６は、誤り訂正符号化回路１０７からの符号化データを受け取り、所定のＲＬＬ変調符号にしたがって変調した変調信号を生成する。
【００２０】
周波数軸符号変換回路１０５は、変調信号の周波数特性を変換し、記録信号として出力する。記録したユーザデータを再生するとき、光ビームでの検出の周波数特性により、検出された再生信号は低域周波数に帯域制限される。低域周波数の帯域制限に合うように、周波数帯域の変換を行う。
【００２１】
記録回路１０４は、光ディスク１００上に記録信号の振幅レベルに応じたマークが形成されるように、記録信号から発光パルス信号に変換し、光ヘッド１０１のレーザを駆動する。照射されたレーザの熱により、光ディスク１００上にマークが形成される。
【００２２】
一方、光ディスク１００上に記録されたユーザデータは、周波数軸符号逆変換回路１０８、再生信号復号回路１０９、ＲＬＬ復調回路１１０、誤り訂正復号回路１１１によって再生される。
【００２３】
光ヘッド１０１は、光ディスク１００に光ビームを照射し、光ディスク１００からの反射光を検出する。光ヘッド１０１は検出した反射光に基づいて再生信号を出力する。
【００２４】
周波数軸符号逆変換回路１０８は、光ヘッド１０１が出力する再生信号の周波数特性を変換し、変換後再生信号として出力する。周波数軸符号変換回路１０５による周波数帯域の変換に対し、逆の変換を行う。
【００２５】
再生信号復号回路１０９は、変換後再生信号を復号して復号信号を生成する。具体的には、変換後再生信号と期待値波形との比較から最も近い期待値波形を選択し、期待値波形の元となる２値信号を復号信号として出力するＰＲＭＬ信号処理を行う。期待値波形の特性は、周波数軸符号変換回路１０５による周波数帯域の変換と、光ビームでの検出の周波数特性による帯域制限との両方の影響を加味したものとする。
【００２６】
ＲＬＬ復調回路１１０は、所定のＲＬＬ変調符号にしたがって、復号信号から符号化データを復調する。
【００２７】
誤り訂正復号回路１１１は、復調された符号化データの誤りを訂正し、ユーザデータを復元する。
【００２８】
アドレス再生回路１１２は、光ヘッド１０１で検出された光ディスク１００のトラックの蛇行に応じたウォブル信号からアドレス情報を再生して出力する。光ディスク１００のトラックは所定の周期で蛇行して形成されており、所定の周期が変調されることによりトラックの位置が分かるようにアドレス情報が含まれている。
【００２９】
ＲＯＭ１１６は、フラッシュメモリで構成される。ＲＯＭ１１６は、システムコントローラ１１５が光ディスク装置１０全体を制御するためのプログラムを記憶する。
【００３０】
システムコントローラ１１５は、ＲＯＭ１１６に記憶されたプログラムを読み出して実行することにより、各回路の制御及びホスト１１７との通信の制御を行う。なお、図１においては便宜上、システムコントローラ１１５から各構成要素に対する制御を示す矢印を省略している。本実施の形態における光ディスク装置１０のシステムコントローラ１１５は、アドレス再生回路１１２が出力するアドレス情報から光ディスク１００上の領域を確定し、ユーザデータの記録および再生に関連する各回路の動作を制御する。
【００３１】
［２．動作］
次に、本実施の形態における光ディスク装置１０の動作について説明する。
【００３２】
まず、本実施の形態における光ディスク装置１０による光ディスク１００のデータゾーンのトラックへの記録動作について説明する。
【００３３】
Ｉ／Ｆ回路１１３は、ホスト１１７から送信されたユーザデータと記録先の論理アドレスとを取得する。ユーザデータは所定の単位のデータブロックに分割され、データブロック毎に誤り訂正符号化回路１０７へと送られる。
【００３４】
誤り訂正符号化回路１０７は、データブロック単位のユーザデータに、再生時の誤りを訂正するためのパリティコードを付加して符号化データとする。
【００３５】
ＲＬＬ変調回路１０６は、パリティコードが付加された符号化データを、所定のＲＬＬ変調符号に従って変調信号に変調する。
【００３６】
図２は、ＢＤなどで用いられているｄ＝１制限のＲＬＬ変調符号による変調信号のパワースペクトルである。ｄ＝１制限とは、最短のマークあるいはスペースの長さが２チャンネルビット（以降、１チャンネルビット＝１Ｔと記載する）であることを示している。したがって、最短の２Ｔマークと２Ｔスペースが連続するパターンがもっとも周波数が高いパターンであり、規格化周波数で０．２５となる。図２より、ｄ＝１制限のＲＬＬ変調符号では、規格化周波数０．１〜０．２の帯域のパターンの頻度が高いことが分かる。
【００３７】
図４は、光ヘッド１０１の対物レンズの開口数ＮＡ＝０．８５、光ビームの波長λ＝４０５ｎｍに対して、１Ｔの長さが６０．０ｎｍ、３５．７ｎｍ、２５．５ｎｍと記録する線密度を高くしていった場合に、再生時の光ビームの検出による低域通過特性を簡易的に示したものである。ＮＡとλから回折限界はλ／（２×λ）＝２３８．２ｎｍであり、この長さに相当する規格化周波数がゲイン０になる点である。１Ｔの長さが６０．０ｎｍの場合は、規格化周波数０．２５の帯域までは検出されるが、高線密度化するに従って検出される帯域が狭くなっていく。
【００３８】
図２に示したｄ＝１制限のＲＬＬ変調符号の場合、そのパワースペクトルの大部分は規格化周波数帯域０．１〜０．２の範囲である。図４に示す１Ｔの長さが６０．０ｎｍの線密度の場合は、ｄ＝１制限のＲＬＬ変調符号のパワースペクトルの帯域が十分にカバーできている。しかし、１Ｔの長さが３５．７ｎｍまで高線密度化すると、規格化周波数０．１５以上の帯域の成分は検出できず、ｄ＝１制限のＲＬＬ変調符号のパワースペクトルの約半分に制限されるという状態になっている。さらに１Ｔの長さが２５．５ｎｍまで高線密度化すると、光ディスク１００に対する記録容量は１．４倍増やすことができるが、ｄ＝１制限のＲＬＬ変調符号のパワースペクトルの大半が失われ、ビットエラーレートが非常に高くなる。この結果、誤り訂正復号回路１１１での誤り訂正が困難になる。
【００３９】
図３は、ｄ＝０、ｋ＝４制限のＲＬＬ変調符号による変調信号のパワースペクトルである。ｄ＝０制限とは、最短のマークあるいはスペースの長さが１Ｔであることを示している。ｋ＝４制限とは、最長のマークあるいはスペースの長さが５Ｔであることを示している。最短の１Ｔを用い、かつ最長でも５Ｔであり、そのパワースペクトルは、図２に示すｄ＝０制限のＲＬＬ変調符号と違って高い周波数帯域に偏っていることがわかる。規格化周波数０．４〜０．５に集中している。また、１Ｔを用いることにより符号化効率が高く、ｄ＝１制限のＲＬＬ変調符号の符号化率０．６７に対し、ｄ＝０制限のＲＬＬ変調符号の符号化率は０．９４以上でも可能である。このため、１Ｔの長さが同じでも、符号化効率の向上分だけで、光ディスク１００に対する記録容量を１．４倍増やすことができる。光ディスク装置１０のＲＬＬ変調回路１０６は、図３に示すｄ＝０、ｋ＝４制限のＲＬＬ変調符号を用いて変調信号を生成する。
【００４０】
周波数軸符号変換回路１０５は、変調信号の周波数特性を変換し、記録信号として出力する。記録したユーザデータを再生するとき、光ビームでの検出の周波数特性により、図４に示すように、検出された再生信号は低域周波数に帯域制限される。周波数軸符号変換回路１０５は、１Ｔの長さが３５．７ｎｍで検出できる帯域が０．１５までとなる条件にあうように周波数特性の変換を行う。周波数特性の変換は、以下の２つのステップから構成される。
【００４１】
はじめに第１ステップとして、変調信号の周波数を高域側にシフトさせるため、３回微分を行うフィルタに通す。図５は、３回微分フィルタのゲイン特性を示している。図３に示すように、ＲＬＬ変調符号のパワースペクトルは高い帯域の成分が大半であるが、最長マークあるいはスペースの長さが５Ｔであるため低い帯域の成分も存在している。３回微分フィルタを通すことにより、低い帯域の成分を高い帯域へとシフトさせることができる。図６は、３回微分フィルタを通した後の変調信号の周波数特性を示している。低い帯域の成分がほぼなくなり、規格化周波数０．３以上の高い帯域であり、狭い帯域幅の範囲に集中できていることが分かる。
【００４２】
次に第２ステップとして、３回微分フィルタを通した後の変調信号の周波数特性の高い側と低い側を入れ替える。離散フーリエ変換した後に、規格化周波数０であった成分を規格化周波数０．５の成分と入れ替える。これによって、規格化周波数０．３〜０．５の高い帯域かつ狭い帯域に集中させた変調信号を、規格化周波数０〜０．２の低い帯域かつ狭い帯域の周波数特性にすることができる。さらに、図４に示す１Ｔの長さが３５．７ｎｍで検出できる帯域が０．１５までとなる条件に合わせて、規格化周波数０．１５以上の成分をゼロとする。図７は以上の帯域入れ替えと、帯域制限の処理を行った後の変調信号の周波数特性を示している。これらの処理の後、逆離散フーリエ変換することにより、元の変調信号の周波数特性が変換された記録信号が得られる。周波数軸符号変換回路１０５は、記録信号を記録回路１０４へと出力する。
【００４３】
記録回路１０４は、再生したときに記録信号に近い再生信号が得られるように、光ディスク１００上にマークを形成する。従来は、ＲＬＬ変調符号により生成された２値の変調信号をそのままマークあるいはスペースとして記録していた。光ディスク装置１０の周波数軸符号変換回路１０５が出力する記録信号は、２値信号ではなく、多値信号となっている。記録回路１０４は、多値の記録信号の振幅レベルに応じて、発光パワーと発光時間を制御する発光パルス信号を生成し、光ヘッド１０１へ出力する。
【００４４】
光ヘッド１０１は、発光パルス信号に基づいてレーザ出力を駆動する。記録先の論理アドレスに対応する光ディスク１００上の位置にレーザパルスを照射することで記録信号に対応したマークを記録する。
【００４５】
システムコントローラ１１５は、上記の記録動作を制御する。システムコントローラ１１５は、Ｉ／Ｆ回路１１３で取得された記録先の論理アドレスに基づいて、光ディスク１００上に記録する位置を決定し、サーボコントローラ１０３を制御して光ヘッド１０１を目的位置に移動させる。目的位置となるトラックに到達する前に、誤り訂正符号化回路１０７を動作させる。目的位置に到達したところから、ＲＬＬ変調回路１０６、周波数軸符号変換回路１０５、記録回路１０４を動作させて記録を行う。
【００４６】
次に、本実施の形態における光ディスク装置１０の再生動作について説明する。
【００４７】
光ディスク１００に対する再生位置の特定については、記録動作における記録位置の特定の動作と同様である。システムコントローラ１１５は、再生するデータブロックの位置となったときに、周波数軸符号逆変換回路１０８と、再生信号復号回路１０９と、ＲＬＬ復調回路１１０と、誤り訂正復号回路１１１とを動作させてユーザデータの再生を行う。
【００４８】
周波数軸符号逆変換回路１０８は、光ヘッド１０１が出力する再生信号に対し、周波数軸符号変換回路１０５による周波数帯域変換の逆変換を行う。図８は、再生信号の周波数特性を示している。図７に示す記録信号に相当するマークが光ディスク１００のトラック上に記録されている。再生するときには、図４に示す１Ｔの長さが３５．７ｎｍのゲイン特性を通して再生信号として検出される。この結果、再生信号の周波数特性は、記録信号の周波数特性よりやや振幅特性が低くなったものとなる。
【００４９】
周波数軸符号逆変換回路１０８は、再生信号に対し離散フーリエ変換を行う。離散フーリエ変換した後に、規格化周波数０であった成分を規格化周波数０．５の成分と入れ替える。これによって、規格化周波数０〜０．１５の帯域であったものが、規格化周波数０．３５〜０．５の周波数特性に逆変換される。図８に示す再生信号の周波数特性は、帯域の上下が入れ替えられ、図９に示すような周波数特性となる。この後、逆離散フーリエ変換を行って、高い帯域の特性をもつ変換後再生信号として出力する。
【００５０】
再生信号復号回路１０９は、変換後再生信号をＰＲＭＬ信号処理により復号して復号信号を生成する。ＰＲＭＬ信号処理の期待値波形の特性は、周波数軸符号変換回路１０５による周波数帯域の変換と、光ビームでの検出の周波数特性による帯域制限との両方の影響を加味したものである。図１０は、元の変調信号に対して畳み込まれるインパルス応答波形を示している。図１１は、図１０に示すインパルス応答の周波数特性を示している。周波数軸符号変換回路１０５による周波数帯域の変換と、光ビームでの検出の周波数特性による帯域制限がかかった特性に近いものとなっている。再生信号復号回路１０９は、変換後再生信号に対して等化フィルタ処理を行う。等化フィルタ出力信号に対し、畳み込みにより生成された期待値波形との誤差が最小となる２値信号が選択されて、復号信号として出力される。等化フィルタのフィルタ係数は、等化フィルタ出力信号と期待値波形との誤差が小さくなるように、適応的に制御されるものである。
【００５１】
ＲＬＬ復調回路１１０は、復号信号をｄ＝０、ｋ＝４制限のＲＬＬ変調符号に従って副庁し、誤り訂正復号回路１１１は、復調された符号化データの誤りを訂正してユーザデータを復元する。
【００５２】
システムコントローラ１１５は、上記の再生動作を制御する。システムコントローラ１１５は、Ｉ／Ｆ回路１１３で取得された再生先の論理アドレスに基づいて、光ディスク１００上の再生する位置を決定し、サーボコントローラ１０３を制御して光ヘッド１０１を目的位置に移動させる。目標位置に到達したときに、周波数軸符号逆変換回路１０８と再生信号復号回路１０９とＲＬＬ復調回路１１０とを動作させ、誤り訂正復号回路１１１を動作させてユーザデータを復元する。復元されたユーザデータはバッファメモリ１１４に格納されており、Ｉ／Ｆ回路１１３を通して、ホスト１１７へとユーザデータを送出することで再生動作が完了する。
【００５３】
［３．効果等］
以上に示したように、本実施の形態において、光ディスク１００と光ディスク装置１０によれば、高線密度にともなう周波数特性の低域化かつ狭帯域化に対し、従来は用いることができなかった帯域が高く高符号化率であるＲＬＬ変調符号を適用することが可能となる。
【産業上の利用可能性】
【００５４】
本開示は、データの記録再生を行う光ディスク及び光ディスク装置に適用可能である。
【符号の説明】
【００５５】
１０  光ディスク装置
１００  光ディスク
１０１  光ヘッド
１０２  スピンドルモータ
１０３  サーボコントローラ
１０４  記録回路
１０５  周波数軸符号変換回路
１０６  ＲＬＬ変調回路
１０７  誤り訂正符号化回路
１０８  周波数軸符号逆変換回路
１０９  再生信号復号回路
１１０  ＲＬＬ復調回路
１１１  誤り訂正復号回路
１１２  アドレス再生回路
１１３  Ｉ／Ｆ回路
１１４  バッファメモリ
１１５  システムコントローラ
１１６  ＲＯＭ
１１７  ホスト
【図１】
2019153362.tif 000003
【図２】
2019153362.tif 000004
【図３】
2019153362.tif 000005
【図４】
2019153362.tif 000006
【図５】
2019153362.tif 000007
【図６】
2019153362.tif 000008
【図７】
2019153362.tif 000009
【図８】
2019153362.tif 000010
【図９】
2019153362.tif 000011
【図１０】
2019153362.tif 000012
【図１１】
2019153362.tif 000013